(57)【要約】【課題】電子キャッシュレジスタにおいて、売上データのバックアップ状態を容易に把握する。【解決手段】電子キャッシュレジスタ３は、精算データや点検データをスマートフォン２に送信する通信部３９と、精算データや点検データをレシート用紙に印刷する印刷部８６とを備えている。印刷部８６は、この精算データや点検データが送信済みであるか否かの情報をレシート用紙に併せて印刷する。【選択図】図３
2020170575.tif 000002
【特許請求の範囲】
【請求項１】
売上データを外部装置に送信する通信手段と、
前記売上データを印刷させる印刷制御手段と、を備えており、
前記印刷制御手段は、前記売上データが送信済みであるか否かの情報を併せて印刷させる、
ことを特徴とする売上データ処理装置。
【請求項２】
前記印刷制御手段は、前記売上データを送信した前記外部装置の識別情報を併せて印刷させる、
ことを特徴とする請求項１に記載の売上データ処理装置。
【請求項３】
前記印刷制御手段は、前記売上データを送信した日時情報を併せて印刷させる、
ことを特徴とする請求項１または２に記載の売上データ処理装置。
【請求項４】
前記通信手段は、精算モードが指定された際は前記精算モードに対応する精算データとして前記売上データを外部装置に送信する、または、点検モードが指定された際は前記点検モードに対応する点検データとして前記売上データを外部装置に送信する、
ことを特徴とする請求項１から３の何れか一項に記載の売上データ処理装置。
【請求項５】
前記精算モードまたは前記点検モードが指定された際に、前記通信手段により前記売上データを前記外部装置に送信することが可能であるか否かを報知する報知手段、
を更に備えることを特徴とする請求項４に記載の売上データ処理装置。
【請求項６】
前記精算モードまたは前記点検モードが指定された際に、前記印刷制御手段による前記売上データの印刷指示を受け付ける入力制御手段、
を更に備えることを特徴とする請求項４に記載の売上データ処理装置。
【請求項７】
前記印刷制御手段は、前記入力制御手段が印刷指示を受け付けた時点の売上に対応する売上データを取得し、取得された売上データと、当該売上データが送信済みであるか否かの情報と、を併せて印刷させる、
ことを特徴とする請求項６に記載の売上データ処理装置。
【請求項８】
売上データを外部記憶媒体に記憶させる記憶制御手段と、
前記売上データを印刷させる印刷制御手段と、を備えており、
前記印刷制御手段は、前記売上データが前記外部記憶媒体に記憶済みであるか否かの情報を併せて印刷させる、
ことを特徴とする売上データ処理装置。
【請求項９】
前記売上データを外部装置に送信する通信手段、を更に備えており、
前記印刷制御手段は、前記売上データが送信済みであるか否かの情報を併せて印刷させる、
ことを特徴とする請求項８に記載の売上データ処理装置。
【請求項１０】
通信手段によって売上データを外部装置への送信を試行し、
印刷制御手段によって前記売上データを印刷させる際に、前記売上データが送信済みであるか否かの情報を併せて印刷させる、
ことを特徴とする売上データ処理方法。
【請求項１１】
売上データを外部記憶媒体に記憶させ、
印刷制御手段によって前記売上データを印刷させる際に、前記外部記憶媒体に前記売上データが記憶済みであるか否かの情報を併せて印刷させる、
ことを特徴とする売上データ処理方法。
【請求項１２】
コンピュータを、
売上データを外部装置に送信する通信手段、
前記売上データを、前記売上データが送信済みであるか否かの情報を併せて印刷させる印刷制御手段、
として機能させるための売上データ処理プログラム。
【請求項１３】
コンピュータを、
売上データを外部記憶媒体に記憶させる記憶制御手段、
前記売上データを、前記売上データが前記外部記憶媒体に記憶済みであるか否かの情報を併せて印刷させる印刷制御手段、
として機能させるための売上データ処理プログラム。
【発明の詳細な説明】
【技術分野】
【０００１】
本発明は、売上データ処理装置、売上データ処理方法、および、売上データ処理プログラムに関する。
【背景技術】
【０００２】
近年、Bluetooth（登録商標） Low Energy（以下“ＢＬＥ”と記載することがある。）がスマートフォンに搭載されるようになった。そのため、電子キャッシュレジスタにＢＬＥを搭載してスマートフォンと通信を行うことが考えられている。これにより、今まで紙に印刷していた内容を電子データとしてスマートフォンに保存することができ、更にスマートフォンから外部のサーバ装置に送信することができる。
【０００３】
特許文献１の要約書の課題には、「端末による売上集計と自動販売機全体の売上集計との整合性を容易に図ることができるようにする。」と記載されている。
【０００４】
更に、同文献の解決手段には、「端末５により商品を購入可能なように端末との間でデータ送受信を行う交信手段と、自動販売機１００の販売動作を制御する自販機制御部１と、該自販機制御部と前記交信手段との間で各種データの処理を行う交信制御部４とを備えた自動販売機において、センタ装置は前記交信制御部に対し、所定間隔で第２の記憶手段のデータの送信要求を行い、前記交信制御部は、センタ装置のデータ要求に基づき、センタ装置に売上データに精算データを含む売上データを送信するとともに、センタ装置への送信結果を自販機制御部に送信し、送信結果をプリンタ７により印字するものである。」と記載されている。
【先行技術文献】
【特許文献】
【０００５】
【特許文献１】特開２００９−１７６３０９号公報
【発明の概要】
【発明が解決しようとする課題】
【０００６】
特許文献１のように売上データを外部機器に送信し、かつ、用紙への印字も行う技術が知られている。しかし、売上データが印字された用紙を見ても外部機器に送信済みであるのか、未送信であるのかはわからない。売上データは、電子キャッシュレジスタから短期間で消去してしまう場合が多い。売上データをスマートフォンなどに保存していないと、その売上データは容易に失われてしまう。
【０００７】
そこで、本発明は、売上データ処理装置、売上データ処理方法、および、売上データ処理プログラムについて、売上データのバックアップ状態を容易に把握することを課題とする。
【課題を解決するための手段】
【０００８】
本発明は、上記目的を達成するため、
売上データを外部装置に送信する通信手段と、
前記売上データを印刷させる印刷制御手段と、を備えており、
前記印刷制御手段は、前記売上データが送信済みであるか否かの情報を併せて印刷させる、
ことを特徴とする売上データ処理装置である。
【発明の効果】
【０００９】
本発明によれば、売上データのバックアップ状態を容易に把握することが可能となる。
【図面の簡単な説明】
【００１０】
【図１】第１の実施形態におけるシステムの概略図である。
【図２】第１の実施形態における電子キャッシュレジスタの外観図である。
【図３】電子キャッシュレジスタの構成を示すブロック図である。
【図４】モードスイッチの外観図である。
【図５】保存先記憶部の構成を示す図である。
【図６】送信先記憶部の構成を示す図である。
【図７】精算時の表示部を示す図である。
【図８】精算時にスマートフォンを検知した際の表示部を示す図である。
【図９】精算時にスマートフォンとメモリカードを検知した際の表示部を示す図である。
【図１０】システムの精算動作を示すシーケンス図である。
【図１１】電子キャッシュレジスタの精算処理を示すフローチャート（その１）である。
【図１２】電子キャッシュレジスタの精算処理を示すフローチャート（その２）である。
【図１３】電子キャッシュレジスタの精算処理を示すフローチャート（その３）である。
【図１４】送信済みかつ保存済みであることを示す精算レポートを示す図である。
【図１５】未送信かつ未保存であることを示す精算レポートを示す図である。
【図１６】送信済みかつ保存済みであることを示す点検レポートを示す図である。
【図１７】未送信かつ未保存であることを示す点検レポートを示す図である。
【図１８】第２の実施形態における電子キャッシュレジスタの外観図である。
【図１９】電子キャッシュレジスタの構成を示すブロック図である。
【図２０】精算時のタッチパネルディスプレイを示す図である。
【図２１】精算時にスマートフォンとメモリカードを検知した際のタッチパネルディスプレイを示す図である。
【発明を実施するための形態】
【００１１】
以降、本発明を実施するための形態を、各図を参照して詳細に説明する。
《第１の実施形態》
図１は、第１の実施形態におけるシステムの概略図である。
システムＳは、サーバ装置１とスマートフォン２がネットワークＮを介して接続され、このスマートフォン２と電子キャッシュレジスタ３とが相互に通信可能に接続されて構成される。第１の実施形態の電子キャッシュレジスタ３は、精算レポートや点検レポートを電子データで送信し、かつ、紙への印字も併せて行うものである。
【００１２】
図２は、第１の実施形態における電子キャッシュレジスタ３の外観図である。
電子キャッシュレジスタ３は、ドロア３５の上に筐体が配置されて構成される。なお、ドロア３５は、電子キャッシュレジスタ３の筐体と分離して配置可能である。
この筐体の左側には印刷部３６が配置され、その右側にはキーボード３８、表示部３７、モードスイッチ３８１が配置されている。なお、印刷部３６のプリンタカバー３６１を外した内部には、ロールペーパ（レシート用紙）３６２が備えられている。
電子キャッシュレジスタ３のオペレータは、キーボード３８を介して商品の単価と部門とを入力し、小計を表示させたのちに預り金を入力することで、商品を登録することができる。この商品の登録時に、電子キャッシュレジスタ３は、ドロア３５を引き出して、預り金を入金させる。
【００１３】
図３は、電子キャッシュレジスタ３の構成を示すブロック図である。
電子キャッシュレジスタ３は、ＣＰＵ（Central Processing Unit）３１、ＲＡＭ（Random Access Memory）３２、ＲＯＭ（Read Only Memory）３３１、記憶部３３２、電源３４、ドロア３５、印刷部３６、表示部３７、キーボード３８、通信部３９、メモリカードリーダ３０を含んで構成されており、各部はバス等によって接続されている。電子キャッシュレジスタ３は更に、モードスイッチ３８１を備えている。なお図面では、モードスイッチ３８１のことを“モードＳＷ”と記載している場合がある。
【００１４】
ＣＰＵ３１は、ＲＯＭ３３１や記憶部３３２などに記憶されている電子キャッシュレジスタ３に対応する各種アプリケーションプログラムの中から指定されたアプリケーションプログラムと、キーボード３８から入力される各種指示とをＲＡＭ３２内のワークメモリに展開する。ＣＰＵ３１は更に、この入力指示および入力データに応じてワークメモリに展開したアプリケーションプログラムに従って各種処理を実行し、その処理結果をＲＡＭ３２内のワークメモリに格納するとともに、表示部３７に表示する。そしてＣＰＵ３１は、ワークメモリに格納した処理結果をキーボード３８から指示されるＲＡＭ３２内の保存先に保存する。
ＣＰＵ３１は、売上データを印刷部３６に印刷させる印刷制御手段として機能する。ＣＰＵ３１は、モードスイッチ３８によって精算モードまたは点検モードが指定された際に、これを売上データの印刷指示として受け付ける入力制御手段として機能する。
【００１５】
キーボード３８は、部門キー、現／預キー、クリアキー等を含む各種機能キーおよび数字入力キー等を備え、各キーで押下された押下信号をＣＰＵ３１に出力する。
なお、キーボード３８に限らず、入力指示ができるものであればどのようなものでもよい。キーボード３８の代わりに、タッチパネル（タッチスクリーン）のように入力ペンや指先等により指示された座標を感知し、電磁誘電方式、磁気歪式、感圧式等の座標読み取り原理で指示された位置座標を検出するようにしてもよい。
モードスイッチ３８１は、電子キャッシュレジスタ３の動作モードを決定するスイッチであり、後記する図４で詳細に説明する。
【００１６】
電源３４は、例えば商用交流電源を直流に変換する直流電源回路であり、直流電源を電子キャッシュレジスタ３の各部に供給する。
ドロア３５は、硬貨や紙幣などの現金を収納する収納手段である。ドロア３５は、この電子キャッシュレジスタ３の操作によって解錠と施錠が行われる。
【００１７】
第１の実施形態の表示部３７は、７セグメントの液晶表示素子または発光素子等により構成され、数字や簡易的なアルファベット表示に対応している。電子キャッシュレジスタ３は、ＣＰＵ３１から入力される表示データに基づく信号を生成して、表示部３７に各種表示を行う。
【００１８】
印刷部３６は、例えば熱転写プリンタであり、ＣＰＵ３１の指示により、レシート情報をロールペーパ（レシート用紙）３６２に印字して出力する。この印刷部３６は更に、ＣＰＵ３１の印刷指示により、レシート用紙に精算レポートや点検レポートを印字する。
ドロア３５は、現金を収納する部位であり、オペレータが電子キャッシュレジスタ３を操作することにより引き出すことができる。
【００１９】
記憶部３３２は磁気的、光学的記憶媒体、または半導体メモリなどの書換え可能な記憶媒体で構成されている。この記憶部３３２は、システムプログラムおよび、このシステムに対応する各種アプリケーションプログラム、これらプログラムによって処理されたデータ等を記憶する。記憶部３３２は更に、保存先格納場所５１と送信先格納場所５２を含んでいる。
【００２０】
通信部３９は、例えばＢＬＥ等に対応した通信手段であり、スマートフォン２（外部装置の一例）と相互に通信可能である。通信部３９は、売上データをスマートフォン２に送信する通信手段として機能する。
電子キャッシュレジスタ３のＣＰＵ３１は、プログラムデータや売上データをスマートフォン２等の情報端末に送信する。その後、ＣＰＵ３１は送信したデータの種別（プログラムデータ、点検データ、精算データ等）や送信先、日時等のデータを送信記録として、記憶部３３２内の送信先格納場所５２に格納する。操作者（店員）がプログラムの点検操作や売上げの点検操作、もしくは精算操作を実行すると、ＣＰＵ３１は、送信先格納場所５２の送信記録を参照して、同じデータ種別の送信記録があれば、送信先、日時等の情報をレポート内に印字する。送信先格納場所５２に対象のデータ種別の送信記録がない場合は、未送信のデータである旨をレポート内に印字する。送信先格納場所５２の送信記録は、データの送信毎に更新するか、任意の期間（１日、１週間等）で初期化するかを選択できる。
【００２１】
メモリカードリーダ３０は、メモリカード４が挿抜可能であり、挿入されているメモリカード４との間で所望のファイルを読み書き可能である。メモリカードリーダ３０は、売上データをメモリカード４（外部記憶媒体）に記憶させる記憶制御手段である。
【００２２】
電子キャッシュレジスタ３のＣＰＵ３１は、プログラムデータや売上データをメモリカードリーダ３０によってメモリカード４に保存する。その後、ＣＰＵ３１は保存したデータの種別（プログラムデータ、点検データ、精算データ等）や送信先、日時等のデータを保存記録として、記憶部３３２内の保存先格納場所５１に格納する。
プログラムの点検操作や売上げの点検操作、または精算操作を実行すると、ＣＰＵ３１は、保存先格納場所５１の保存記録を参照して、同じデータ種別の送信記録があれば、保存先、日時等の情報をレポート内に印字する。保存先格納場所５１に対象のデータ種別の送信記録がない場合は、未保存のデータである旨をレポート内に印字する。保存先格納場所５１の保存記録は、データの保存毎に更新するか、任意の期間（１日、１週間等）で初期化するかを選択できる。
【００２３】
また、記憶部３３２に記憶するプログラム、データ等は、その一部または全部をサーバやクライアント等の他の機器からネットワーク回線等の伝送媒体を介して受信して記憶する構成にしてもよい。更に記憶部３３２は、ネットワーク上に構築されたサーバの記録媒体であってもよい。更に、各プログラムは、ネットワーク回線等の伝送媒体を介してサーバやクライアントへ伝送してこれらの機器にインストールするように構成してもよい。
【００２４】
図４は、モードスイッチ３８１の外観図である。
モードスイッチ３８１は、付属のモード鍵が差し込まれることで、この電子キャッシュレジスタ３の動作モードを切り替える。電子キャッシュレジスタ３の動作モードには、精算、点検、電卓、登録、ＯＦＦ、戻、設定がある。
「精算」は、この電子キャッシュレジスタ３によって売上の精算を行うときのモードである。「点検」は、この電子キャッシュレジスタ３によって売上の点検を行うときのモードである。「電卓」は、この電子キャッシュレジスタ３を電卓として使用するときのモードである。「登録」は、この電子キャッシュレジスタ３によって売上の登録を行うときのモードである。「ＯＦＦ」は、この電子キャッシュレジスタ３の電源３４を切るモードである。「戻」は、この電子キャッシュレジスタ３によって返品処理（戻し）を行うときのモードである。「設定」は、この電子キャッシュレジスタ３に対して、お店に合わせたいろいろな設定を行うときのモードである。
【００２５】
図５は、保存先格納場所５１の構成を示す図である。
保存先格納場所５１は、データ名欄、ハッシュ値欄、保存先欄、保存日時欄を含んだ複数のレコードで構成される。図５では各欄は横方向に配列しており、各レコードは縦方向に配列している。各レコードは、１回の保存動作を記録したものである。
データ名欄は、この保存動作で保存したデータの名称を格納している。
【００２６】
ハッシュ値欄は、この保存動作で保存したデータのハッシュ値を格納している。なお、ハッシュ値を導出する関数は、任意のものでよく、限定されない。このハッシュ値により、データが既に保存されているか否かを判断することができる。
保存先欄は、この保存動作における保存先のメモリカード４を識別する情報を格納している。なお、ここでは「カードＡ」のように名称を格納しているが、メモリカード４を一意に識別するＩＤ情報であってもよく、限定されない。
保存日時欄は、この保存動作を実行した日時を格納している。
【００２７】
図６は、送信先格納場所５２の構成を示す図である。
送信先格納場所５２は、データ名欄、ハッシュ値欄、送信先欄、送信日時欄を含んだ複数のレコードで構成される。図５では各欄は横方向に配列しており、各レコードは縦方向に配列している。各レコードは、１回の送信動作を記録したものである。
データ名欄は、この送信動作で送信したデータの名称を格納している。
【００２８】
ハッシュ値欄は、この送信動作で送信したデータのハッシュ値を格納している。なお、ハッシュ値を導出する関数は、任意のものでよく、限定されない。このハッシュ値により、データが既に送信されているか否かを判断することができる。
送信先欄は、この送信動作における送信先の外部装置（スマートフォン２）を識別する情報を格納している。なお、ここでは「店長スマホ」のように名称を格納しているが、スマートフォン２を一意に識別するＩＤ情報であってもよく、限定されない。
送信日時欄は、この送信動作を実行した日時を格納している。
【００２９】
図７は、精算時の表示部３７を示す図である。
表示部３７は、８個の７セグメント表示素子の配列によって８桁の数字を示している。最上位桁は、電子キャッシュレジスタ３が精算モードであることを示す“ｕ”を表示している。
右端から４桁目の表示素子は、「０」を表示しており、スマートフォン２の電波が検知されていないことを示している。
右端（１桁目）の表示素子は、「０」を表示しており、メモリカード４が検知されていないことを示している。
２，３桁目と５−８桁目の表示素子には何も表示されていない。
【００３０】
図８は、精算時にスマートフォン２を検知した際の表示部３７を示す図である。
右端から４桁目の表示素子は、「３」を表示しており、スマートフォン２の電波が検知されていることと、その電波強度が中程度であることを示している。
右端（１桁目）の表示素子は、「０」を表示しており、メモリカード４が検知されていないことを示している。
２，３桁目と５−８桁目の表示素子には何も表示されていない。
【００３１】
図９は、精算時にスマートフォン２とメモリカード４を検知した際の表示部３７を示す図である。
右端から４桁目の表示素子は、「５」を表示しており、スマートフォン２の電波が検知されていることと、その電波強度が強いことを示している。
右端（１桁目）の表示素子は、「１」を表示しており、メモリカード４が検知されていることを示している。
２，３桁目と５−８桁目の表示素子には何も表示されていない。
【００３２】
以上から、右端から４桁目の表示素子は、スマートフォン２の電波が検知されていない場合には「０」を、検知されている場合にはその電波強度を「１〜５」の５段階で示すものである。
【００３３】
また、右端（１桁目）の表示素子は、メモリカード４が検知されていない場合には「０」を、検知されている場合には「１」を示すものである。
【００３４】
つまり、右端から４桁目の表示素子は、精算モードまたは点検モードが指定された際に、通信部３９により売上データをスマートフォン２に送信することが可能であるか否かを報知する報知手段として機能する。
【００３５】
右端（１桁目）の表示素子は、精算モードまたは点検モードが指定された際に、メモリカードリーダ３０により売上データをメモリカード４に保存することが可能であるか否かを報知する報知手段として機能する。
【００３６】
図１０は、システムの精算動作を示すシーケンス図である。
ステップＳ１０において、電子キャッシュレジスタ３は売上登録を実行する。店舗の営業時間において売上登録は、何回か繰り返されることが多い。
店舗の営業時間が終了すると、操作者である店員は、モードスイッチ３８１（図４参照）を「精算」に切り替える（ステップＳ２０）。これにより電子キャッシュレジスタ３は、精算モードに切り替わる。
次いで店員は、スマートフォン２上で転送アプリを起動する（ステップＳ２１）。この転送アプリは、電子キャッシュレジスタ３との間で各種データを転送するためのプログラムである。
【００３７】
電子キャッシュレジスタ３は、スマートフォン２に通信確立のパケットを送信する（ステップＳ２２）。スマートフォン２がこのパケットに応答して（ステップＳ２３）、電子キャッシュレジスタ３とスマートフォン２との間に通信セッションが確立する。図示していないが、以降、電子キャッシュレジスタ３とスマートフォン２は、ポーリングにより通信セッションを維持する。これにより電子キャッシュレジスタ３は、スマートフォン２が通信可能に接続されていることを判定できる。
【００３８】
次いで店員は、電子キャッシュレジスタ３の現／預キーを押下する（ステップＳ３０）。これにより電子キャッシュレジスタ３は、精算データを算出し（ステップＳ３１）、算出した精算レポートをスマートフォン２に送信する（ステップＳ３２）。スマートフォン２は、精算レポートを受信すると、この精算レポートをサーバ装置１に送信する（ステップＳ３３）。これにより店員は、精算データをサーバ装置１に保存することができる。
サーバ装置１は、精算レポートを受信した旨をスマートフォン２に応答する（ステップＳ３４）。スマートフォン２は、精算レポートの送信先である自身の名称または識別情報と、精算レポートを受信した旨を電子キャッシュレジスタ３に応答する（ステップＳ３５）。
次いで電子キャッシュレジスタ３は、メモリカードリーダ３０を用いてメモリカード４に精算レポートを保存する（ステップＳ３６）。その後、電子キャッシュレジスタ３は、印刷部３６を用いて、この精算レポートを印字する（ステップＳ３７）。
【００３９】
図１１〜図１３は、電子キャッシュレジスタ３の精算処理を示すフローチャートである。
電子キャッシュレジスタ３は、プログラムデータ、点検データ、精算データ等の送信記録をメモリの特定場所に格納する機能と、点検や精算操作等で対象のデータ種別の送信記録をチェックして、送信履歴（未送信である場合はその旨）を各々のレポート内容に記載するレポート発行機能を有している。以下、これら機能について説明する。
【００４０】
精算処理において店員は、モードスイッチ３８１を「精算」に切り替える（ステップＳ４０）。電子キャッシュレジスタ３のＣＰＵ３１は、モードスイッチ３８１が「精算」に切り替わったことを検知する。
ＣＰＵ３１は、スマートフォン２との接続を判定し（ステップＳ４１）、判定した接続状態を表示部３７に表示する（ステップＳ４２）。スマートフォン２の接続状態は、例えば前記した図７から図９の４桁目の数字によって示されている。４桁目の数字が“０”ならば未接続である。４桁目の数字が“１”から“５”ならば、接続済みであることと、その電波強度を示している。
【００４１】
ＣＰＵ３１は、スマートフォン２と接続済みでないならば（ステップＳ４３→Ｎｏ）、スマートフォン２との接続を試行する（ステップＳ４４）。スマートフォン２との接続試行は、具体的にいうと、図１０のステップＳ２２の処理に該当する。ＣＰＵ３１は、スマートフォン２と接続済みならば（ステップＳ４３→Ｙｅｓ）、ステップＳ４５の処理に進む。
【００４２】
次いでＣＰＵ３１は、メモリカードリーダ３０にメモリカード４が挿入されているか否かを判定し（ステップＳ４５）、メモリカード４の挿入状態を表示部３７に表示する（ステップＳ４６）。メモリカード４の挿入状態は、例えば前記した図７から図９の１桁目の数字によって示されている。１桁目の数字が“０”ならば未挿入である。１桁目の数字が“１”ならば挿入済みである。
【００４３】
ＣＰＵ３１は、キーボード３８の現／預キーが押下されたならば（ステップＳ４７→現／預キー）、図１２のステップＳ４８に進み、この現／預キーが押下されていないならば（ステップＳ４７→その他）、ステップＳ４１の処理に戻る。これらステップＳ４１〜Ｓ４８の処理により、店員は、スマートフォン２と接続されているか否かと、メモリカード４が挿入されているか否かを容易に知ることができる。
【００４４】
図１２のステップＳ４８において、ＣＰＵ３１は、現時点における売上げから精算データを算出する。ＣＰＵ３１は更に、この精算データからハッシュ値を算出する（ステップＳ４９）。
【００４５】
ＣＰＵ３１は、スマートフォン２に接続済みであるならば（ステップＳ５０→Ｙｅｓ）、このスマートフォン２に精算データを送信する（ステップＳ５１）。ＣＰＵ３１は、精算データの送信に成功したならば（ステップＳ５２→Ｙｅｓ）、送信先格納場所５２にデータ名、ハッシュ値、送信先の名称、送信日時を含むレコードとして格納する（ステップＳ５３）。
【００４６】
なおステップＳ５０において、ＣＰＵ３１は、スマートフォン２に接続されていなかったならば（Ｎｏ）、ステップＳ５４の処理に進む。ステップＳ５２の処理において、ＣＰＵ３１は、精算データの送信に失敗したならば（ステップＳ５２→Ｎｏ）、ステップＳ５４の処理に進む。
【００４７】
ＣＰＵ３１は、メモリカードリーダ３０にメモリカード４が挿入済みであるならば（ステップＳ５４→Ｙｅｓ）、このメモリカード４に精算データを保存する（ステップＳ５５）。ＣＰＵ３１は、精算データの保存に成功したならば（ステップＳ５６→Ｙｅｓ）、保存先格納場所５１にデータ名、ハッシュ値、保存先の名称、保存日時を含むレコードとして格納する（ステップＳ５７）。
【００４８】
なおステップＳ５４において、ＣＰＵ３１は、メモリカードリーダ３０にメモリカード４が挿入されていなかったならば（Ｎｏ）、図１３のステップＳ５８の処理に進む。ステップＳ５５５の処理において、ＣＰＵ３１は、精算データの保存に失敗したならば（ステップＳ５６→Ｎｏ）、図１３のステップＳ５８の処理に進む。
【００４９】
図１３のステップＳ５８において、ＣＰＵ３１は、送信先格納場所５２を精算データのハッシュ値で検索する。この精算データのハッシュ値が送信先格納場所５２の何れかのレコードのハッシュ値と一致したならば、この精算レコードはスマートフォン２に送信済みである。
【００５０】
ＣＰＵ３１は、送信先格納場所５２の何れかのハッシュ値と一致したならば（ステップＳ５９→Ｙｅｓ）、送信情報を、送信先名称と日時情報の組合せとして決定する（ステップＳ６０）。この送信情報は、精算レポートに印字される情報である。
ＣＰＵ３１は、送信先格納場所５２の何れのハッシュ値とも一致しないならば（ステップＳ５９→Ｎｏ）、送信情報を「未送信」として決定する（ステップＳ６１）。
【００５１】
ステップＳ６２おいて、ＣＰＵ３１は、保存先格納場所５１を精算データのハッシュ値で検索する。この精算データのハッシュ値が保存先格納場所５１の何れかのレコードのハッシュ値と一致したならば、この精算レコードはメモリカード４に保存済みである。
ＣＰＵ３１は、保存先格納場所５１の何れかのハッシュ値と一致したならば（ステップＳ６３→Ｙｅｓ）、保存情報を、保存先名称と日時情報の組合せとして決定する（ステップＳ６４）。この保存情報は、精算レポートに印字される情報である。
ＣＰＵ３１は、保存先格納場所５１の何れのハッシュ値とも一致しないならば（ステップＳ６３→Ｎｏ）、保存情報を「未送信」として決定する（ステップＳ６５）。
【００５２】
最後にＣＰＵ３１は、精算レボートに送信情報と保存情報とを併せて印字し（ステップＳ６６）、図１３の処理を終了する。これにより、店員は、紙に印字された精算レボートを閲覧するだけで、この精算レポートに係る売上データのバックアップ状態を容易に把握することが可能となる。
【００５３】
図１４は、送信済みかつ保存済みであることを示す精算レポート６ａを示す図である。
精算レポート６ａの４行目には、図１３で言及した送信情報が印字されている。この送信情報は、「送信 店長スマホ 2017-07-27 22:03」であり、この精算レポート６ａに係る売上データが店長スマホに送信済みであることを示している。ここで「店長スマホ」とは、この精算レポート６ａに印刷された売上データを送信したスマートフォン２を識別するための情報である。「2017-07-27 22:03」は、この売上データを送信した時刻を示している。
【００５４】
精算レポート６ａの５行目には、図１３で言及した保存情報が印字されている。この保存情報は、「保存 カードＡ 2017-07-27 22:04」であり、この精算レポート６ａに係る売上データがカードＡに保存済みであることを示している。ここで「カードＡ」とは、この精算レポート６ａに印刷された売上データを保存したメモリカード４を識別するための情報である。「2017-07-27 22:04」は、この売上データを保存した時刻を示している。
【００５５】
図１５は、未送信かつ未保存であることを示す精算レポート６ｂを示す図である。
精算レポート６ｂの４行目には、図１３で言及した送信情報が印字されている。この送信情報は、「未送信」であり、この精算レポート６ｂに係る売上データが送信されておらず、スマートフォン２にバックアップされていないことを示している。
精算レポート６ｂの５行目には、図１３で言及した保存情報が印字されている。この保存情報は、「未保存」であり、この精算レポート６ｂに係る売上データが保存されておらず、メモリカード４にバックアップされていないことを示している。
【００５６】
なお、図６で説明したステップＳ４０において店員が、モードスイッチ３８１を「点検」に切り替えると、電子キャッシュレジスタ３のＣＰＵ３１は、モードスイッチ３８１が「点検」に切り替わったことを検知する。この状態で集計した売上データは、点検データとして処理される。以下の図１６と図１７に、点検データを印刷した点検レポートの例を示す。
【００５７】
図１６は、送信済みかつ保存済みであることを示す点検レポート７ａを示す図である。
点検レポート７ａの４行目には、図１３で言及した送信情報が印字されている。この送信情報は、「送信 店長スマホ 2017-07-24 12:27」であり、この点検レポート７ａに係る売上データが店長スマホに送信済みであることを示している。
点検レポート７ａの５行目には、図１３で言及した保存情報が印字されている。この保存情報は、「保存 カードＡ 2017-07-27 22:04」であり、この点検レポート７ａに係る売上データがカードＡに保存済みであることを示している。
【００５８】
図１７は、未送信かつ未保存であることを示す点検レポート７ｂを示す図である。
点検レポート７ｂの４行目には、図１３で言及した送信情報が印字されている。この送信情報は、「未送信」であり、この点検レポート７ｂに係る売上データが送信されておらず、スマートフォン２にバックアップされていないことを示している。
点検レポート７ｂの５行目には、図１３で言及した保存情報が印字されている。この保存情報は、「未保存」であり、この点検レポート７ｂに係る売上データが保存されておらず、メモリカード４にバックアップされていないことを示している。
【００５９】
《第２の実施形態》
図１８は、第２の実施形態における電子キャッシュレジスタ８の外観図である。
電子キャッシュレジスタ８は、ドロア（不図示）とは分離されて構成される。なお、ドロアは、電子キャッシュレジスタ８と電気的に接続可能である。
この筐体の左側には印刷部８６と顧客用ディスプレイ８８とが配置され、その右側にはタッチパネルディスプレイ８７が配置されている。第１の実施形態の電子キャッシュレジスタ３とは異なり、入力手段はタッチパネルディスプレイ８７上のソフトウェアボタンである。
【００６０】
電子キャッシュレジスタ８のオペレータは、タッチパネルディスプレイ８７上のソフトウェアボタンを介して商品の単価と部門とを入力し、小計を表示させたのちに預り金を入力することで、商品を登録することができる。この商品の登録時に、電子キャッシュレジスタ８は、不図示のドロアを引き出して、預り金を入金させる。
【００６１】
図１９は、電子キャッシュレジスタ８の構成を示すブロック図である。
電子キャッシュレジスタ８は、ＣＰＵ８１、ＲＡＭ８２、ＲＯＭ８３１、記憶部８３２、電源８４、印刷部８６、タッチパネルディスプレイ８７、顧客用ディスプレイ８８、通信部８９、メモリカードリーダ８０を含んで構成されており、各部はバスによって接続されている。電子キャッシュレジスタ８は、第１の実施形態とは異なり、モードスイッチを備えていない。
【００６２】
ＣＰＵ８１は、ＲＯＭ８３１や記憶部８３２などに記憶されている電子キャッシュレジスタ８に対応する各種アプリケーションプログラムの中から指定されたアプリケーションプログラムと、タッチパネルディスプレイ８７から入力される各種指示とをＲＡＭ８２内のワークメモリに展開する。ＣＰＵ８１は更に、この入力指示および入力データに応じてワークメモリに展開したアプリケーションプログラムに従って各種処理を実行し、その処理結果をＲＡＭ８２内のワークメモリに格納するとともに、タッチパネルディスプレイ８７に表示する。そしてＣＰＵ８１は、ワークメモリに格納した処理結果をタッチパネルディスプレイ８７から指示されるＲＡＭ８２内の保存先に保存する。ＣＰＵ８１は、売上データを印刷部８６に印刷させる印刷制御手段として機能する。
【００６３】
タッチパネルディスプレイ８７は、入力ペンや指先等により指示された座標を感知し、電磁誘電方式、磁気歪式、感圧式等の座標読み取り原理で指示された位置座標を検出して、位置信号をＣＰＵ８１に出力する。
【００６４】
電源８４は、例えば商用交流電源を直流に変換する直流電源回路であり、直流電源を電子キャッシュレジスタ８の各部に供給する。
【００６５】
顧客用ディスプレイ８８は、液晶ディスプレイや有機ＥＬ（Electro Luminescence）ディスプレイにより構成され、数字や文字や図面の表示に対応している。電子キャッシュレジスタ８は、ＣＰＵ８１から入力される表示データに基づく信号を生成して、顧客用ディスプレイ８８に各種表示を行う。
【００６６】
印刷部８６は、例えば熱転写プリンタであり、レシート情報をロールペーパ（レシート用紙）３６２に印字して出力する。この印刷部８６は、ＣＰＵ８１の指示により、レシート用紙に精算レポートや点検レポートを印字する。
【００６７】
記憶部８３２は磁気的、光学的記憶媒体、または半導体メモリなどの書換え可能な記憶媒体で構成されている。この記憶部８３２は、システムプログラムおよび、このシステムに対応する各種アプリケーションプログラム、これらプログラムによって処理されたデータ等を記憶する。記憶部８３２は、保存先格納場所５１と送信先格納場所５２を含んでいる。
【００６８】
通信部８９は、例えばＢＬＥ等に対応した通信手段であり、スマートフォン２（外部装置の一例）と相互に通信可能である。通信部８９は、売上データをスマートフォン２に送信する通信手段として機能する。
電子キャッシュレジスタ８がプログラムデータや売上データをスマートフォン２等の情報端末に送信すると、ＣＰＵ８１は送信したデータの種別（プログラムデータ、点検データ、精算データ等）や送信先、日時等のデータを送信記録として、記憶部８３２内の送信先格納場所５２に格納する。プログラムの点検操作や売上げの点検操作、もしくは精算操作を実行すると、ＣＰＵ８１は、送信先格納場所５２の送信記録を参照して、同じデータ種別の送信記録があれば、送信先、日時等の情報をレポート内に印字する。送信先格納場所５２に対象のデータ種別の送信記録がない場合は、未送信のデータである旨をレポート内に印字する。送信先格納場所５２の送信記録は、データの送信毎に更新するか、任意の期間（１日、１週間等）で初期化するかを選択できる。
【００６９】
メモリカードリーダ８０は、メモリカード４が挿抜可能であり、挿入されているメモリカード４との間で所望のファイルを読み書き可能である。
電子キャッシュレジスタ８がプログラムデータや売上データをメモリカードリーダ８０によってメモリカード４に保存すると、ＣＰＵ８１は保存したデータの種別（プログラムデータ、点検データ、精算データ等）や送信先、日時等のデータを保存記録として、記憶部８３２内の保存先格納場所５１に格納する。
【００７０】
プログラムの点検操作や売上げの点検操作、または精算操作を実行すると、ＣＰＵ８１は、保存先格納場所５１の保存記録を参照して、同じデータ種別の送信記録があれば、保存先、日時等の情報をレポート内に印字する。保存先格納場所５１に対象のデータ種別の送信記録がない場合は、未保存のデータである旨をレポート内に印字する。保存先格納場所５１の保存記録は、データの保存毎に更新するか、任意の期間（１日、１週間等）で初期化するかを選択できる。
【００７１】
また、記憶部８３２に記憶するプログラム、データ等は、その一部または全部をサーバやクライアント等の他の機器からネットワーク回線等の伝送媒体を介して受信して記憶する構成にしてもよい。更に記憶部８３２は、ネットワーク上に構築されたサーバの記録媒体であってもよい。更に、各プログラムは、ネットワーク回線等の伝送媒体を介してサーバやクライアントへ伝送してこれらの機器にインストールするように構成してもよい。
【００７２】
図２０は、精算時にスマートフォン２とメモリカード４を検知した際のタッチパネルディスプレイ８７の表示を示す図である。
タッチパネルディスプレイ８７には、精算レポート閲覧画面９が表示されている。
この精算レポート閲覧画面９の右側には、精算レポートペイン９１が表示されている。精算レポートペイン９１は、例えば、印刷イメージであり、操作者が印刷ボタン９７をタップすると、精算レポートペイン９１の内容がレシート用紙に印字される。戻るボタン９６をタップすると、タッチパネルディスプレイ８７は、元の画面（不図示）に戻る。
精算レポートペイン９１の２行目と３行目は空白である。これは、未だ印刷されておらず、よって送信状態も保存状態も確定していないことを示している。なお、売上データの送信や保存は、印刷ボタン９７のタップと共に行われる。
【００７３】
精算レポート閲覧画面９の左上側には、スマートフォン状態テキストボックス９２、メモリカード状態テキストボックス９３が表示されている。スマートフォン状態テキストボックス９２は、スマートフォン２の接続状態を示すテキストボックスである。メモリカード状態テキストボックス９３は、メモリカード４の挿入状態を示すテキストボックスである。
これらスマートフォン状態テキストボックス９２、メモリカード状態テキストボックス９３により、印刷と共にバックアップが行えるか否かを容易に判断できる。
【００７４】
レポート集計条件チェックボックス９４は、積算レポートを集計するための条件を決めるためのチェックボックスである。ここでは、固定合計器と取引キー別集計と部門別集計が選択されている。これらチェックボックスを選択し、実行ボタン９５をタップすると、積算レポートを集計するための条件を決め直すことができる。
【００７５】
図２１は、精算データ印刷後のタッチパネルディスプレイ８７の表示を示す図である。
タッチパネルディスプレイ８７には、精算レポート閲覧画面９が表示されている。
この精算レポート閲覧画面９の右側には、精算レポートペイン９１が表示されている。操作者が印刷ボタン９７をタップしているので、精算レポートペイン９１の２行目には送信状態が表示され、３行目には保存状態が表示されている。なお、精算レポートペイン９１の表示内容は、印字された精算レポートの内容と同一である。
【００７６】
精算レポートペイン９１の２行目には、図１３で言及した送信情報が印字されている。この送信情報は、「送信：店長スマホ 2017/08/03」であり、この精算レポートペイン９１に係る売上データが店長スマホに送信されてバックアップされたことを示している。「2017/08/03」は、この売上データを送信した時刻を示している。
【００７７】
精算レポートペイン９１の３行目には、図１３で言及した保存情報が印字されている。この保存情報は、「保存：カードＡ 2017/08/03」であり、この精算レポートペイン９１に係る売上データがカードＡに保存されてバックアップされたことを示している。「2017/08/03」は、この売上データを保存した時刻を示している。
このように、タッチパネルディスプレイ搭載の電子キャッシュレジスタ８であっても、第１の実施形態と同様の動作により、同様に精算データや点検データなどの売上データのバックアップ状態を容易に把握することができる。
【００７８】
（変形例）
本発明は、上記実施形態に限定されることなく、本発明の趣旨を逸脱しない範囲で、変更実施が可能であり、例えば、次の（ａ）〜（ｄ）のようなものがある。
【００７９】
（ａ）  データをバックアップするための外部装置はスマートフォンに限定されず、任意の装置であってもよい。
（ｂ）  電子キャッシュレジスタがバックアップするデータは、点検データや精算データに限定されず、レシート用紙に印字して記録するためのデータであればよい。
（ｃ）  外部装置との通信路は無線に限定されず、有線であってもよい。
（ｄ）  外部装置との通信プロトコルはBluetooth（登録商標） Low Energyに限定されず、Wi-Fi（登録商標）であってもよい。
【００８０】
以下に、この出願の願書に最初に添付した特許請求の範囲に記載した発明を付記する。付記に記載した請求項の項番は、この出願の願書に最初に添付した特許請求の範囲の通りである。
〔付記〕
【００８１】
《請求項１》
売上データを外部装置に送信する通信手段と、
前記売上データを印刷させる印刷制御手段と、を備えており、
前記印刷制御手段は、前記売上データが送信済みであるか否かの情報を併せて印刷させる、
ことを特徴とする売上データ処理装置。
《請求項２》
前記印刷制御手段は、前記売上データを送信した前記外部装置の識別情報を併せて印刷させる、
ことを特徴とする請求項１に記載の売上データ処理装置。
《請求項３》
前記印刷制御手段は、前記売上データを送信した日時情報を併せて印刷させる、
ことを特徴とする請求項１または２に記載の売上データ処理装置。
《請求項４》
前記通信手段は、精算モードが指定された際は前記精算モードに対応する精算データとして前記売上データを外部装置に送信する、または、点検モードが指定された際は前記点検モードに対応する点検データとして前記売上データを外部装置に送信する、
ことを特徴とする請求項１から３の何れか一項に記載の売上データ処理装置。
《請求項５》
前記精算モードまたは前記点検モードが指定された際に、前記通信手段により前記売上データを前記外部装置に送信することが可能であるか否かを報知する報知手段、
を更に備えることを特徴とする請求項４に記載の売上データ処理装置。
《請求項６》
前記精算モードまたは前記点検モードが指定された際に、前記印刷制御手段による前記売上データの印刷指示を受け付ける入力制御手段、
を更に備えることを特徴とする請求項４に記載の売上データ処理装置。
《請求項７》
前記印刷制御手段は、前記入力制御手段が印刷指示を受け付けた時点の売上に対応する売上データを取得し、取得された売上データと、当該売上データが送信済みであるか否かの情報と、を併せて印刷させる、
ことを特徴とする請求項６に記載の売上データ処理装置。
《請求項８》
売上データを外部記憶媒体に記憶させる記憶制御手段と、
前記売上データを印刷させる印刷制御手段と、を備えており、
前記印刷制御手段は、前記売上データが前記外部記憶媒体に記憶済みであるか否かの情報を併せて印刷させる、
ことを特徴とする売上データ処理装置。
《請求項９》
前記売上データを外部装置に送信する通信手段、を更に備えており、
前記印刷制御手段は、前記売上データが送信済みであるか否かの情報を併せて印刷させる、
ことを特徴とする請求項８に記載の売上データ処理装置。
《請求項１０》
通信手段によって売上データを外部装置への送信を試行し、
印刷制御手段によって前記売上データを印刷させる際に、前記売上データが送信済みであるか否かの情報を併せて印刷させる、
ことを特徴とする売上データ処理方法。
《請求項１１》
売上データを外部記憶媒体に記憶させ、
印刷制御手段によって前記売上データを印刷させる際に、前記外部記憶媒体に前記売上データが記憶済みであるか否かの情報を併せて印刷させる、
ことを特徴とする売上データ処理方法。
《請求項１２》
コンピュータを、
売上データを外部装置に送信する通信手段、
前記売上データを、前記売上データが送信済みであるか否かの情報を併せて印刷させる印刷制御手段、
として機能させるための売上データ処理プログラム。
《請求項１３》
コンピュータを、
売上データを外部記憶媒体に記憶させる記憶制御手段、
前記売上データを、前記売上データが前記外部記憶媒体に記憶済みであるか否かの情報を併せて印刷させる印刷制御手段、
として機能させるための売上データ処理プログラム。
【符号の説明】
【００８２】
１  サーバ装置
２  スマートフォン
３，８  電子キャッシュレジスタ  （売上データ処理装置）
３０，８０  メモリカードリーダ
３１，８１  ＣＰＵ  （印刷制御手段、入力制御手段）
３２，８２  ＲＡＭ
３３１，８３１  ＲＯＭ
３３２，８３２  記憶部
３４，８４  電源
３５  ドロア
３６，８６  印刷部
３６１  プリンタカバー
３６２  ロールペーパ
３７  表示部
３８  キーボード
３８１  モードスイッチ
３９，８９  通信部  （通信手段）
４  メモリカード
５１  保存先格納場所
５２  送信先格納場所
６ａ，６ｂ  精算レポート
７ａ，７ｂ  点検レポート
８７  タッチパネルディスプレイ
８８  顧客用ディスプレイ
９  精算レポート閲覧画面
９１  精算レポートペイン
９２  スマートフォン状態テキストボックス
９３  メモリカード状態テキストボックス
９４  レポート集計条件チェックボックス
９５  実行ボタン
９６  戻るボタン
９７  印刷ボタン
【図１】
2020170575.tif 000003
【図２】
2020170575.tif 000004
【図３】
2020170575.tif 000005
【図４】
2020170575.tif 000006
【図５】
2020170575.tif 000007
【図６】
2020170575.tif 000008
【図７】
2020170575.tif 000009
【図８】
2020170575.tif 000010
【図９】
2020170575.tif 000011
【図１０】
2020170575.tif 000012
【図１１】
2020170575.tif 000013
【図１２】
2020170575.tif 000014
【図１３】
2020170575.tif 000015
【図１４】
2020170575.tif 000016
【図１５】
2020170575.tif 000017
【図１６】
2020170575.tif 000018
【図１７】
2020170575.tif 000019
【図１８】
2020170575.tif 000020
【図１９】
2020170575.tif 000021
【図２０】
2020170575.tif 000022
【図２１】
2020170575.tif 000023
【手続補正書】
【提出日】令和2年8月14日(2020.8.14)
【手続補正２】
【補正対象書類名】明細書
【補正対象項目名】０００１
【補正方法】変更
【補正の内容】
【０００１】
本発明は、売上データ処理装置、表示方法及びプログラムに関する。
【手続補正３】
【補正対象書類名】明細書
【補正対象項目名】０００７
【補正方法】変更
【補正の内容】
【０００７】
そこで、本発明は、売上データ処理装置、表示方法及びプログラムについて、売上データのバックアップ状態を容易に把握することを課題とする。
【手続補正４】
【補正対象書類名】明細書
【補正対象項目名】０００８
【補正方法】変更
【補正の内容】
【０００８】
上記課題を解決するため、本発明に係る第１の態様の売上データ処理装置は、売上データを外部記憶媒体に記憶する記憶制御手段と、前記記憶制御手段によって前記売上データが前記外部記憶媒体に記憶されたか否か判定する判定手段と、前記売上データの印刷イメージを表示させる表示制御手段と、を備え、前記表示制御手段は、前記判定手段によって、前記売上データが前記外部記憶媒体に記憶されたと判定されたことを条件に、前記外部記憶媒体についての識別情報の前記印刷イメージ中への表示を開始させる、ことを特徴とする。
また、本発明に係る第２の態様の売上データ処理装置は、売上データを他の端末装置に送信する送信制御手段と、前記送信制御手段によって前記売上データが前記他の端末装置に送信されたか否か判定する判定手段と、前記売上データの印刷イメージを表示させる表示制御手段と、を備え、前記表示制御手段は、前記判定手段によって、前記売上データが前記他の端末装置に送信されたと判定されたことを条件に、前記他の端末装置についての識別情報の前記印刷イメージ中への表示を開始させる、ことを特徴とする。
また、本発明に係る第１の態様の表示方法は、売上データ処理装置が実行する表示方法であって、売上データを他の端末装置に送信する送信制御ステップと、前記送信制御ステップで前記売上データが前記他の端末装置に送信されたか否か判定する判定ステップと、前記売上データの印刷イメージを表示させる表示制御ステップと、を有し、前記表示制御ステップは、前記判定ステップで、前記売上データが前記他の端末装置に送信されたと判定されたことを条件に、前記他の端末装置についての識別情報の前記印刷イメージ中への表示を開始させる、ことを特徴とする。
また、本発明に係る第２の態様の表示方法は、売上データ処理装置が実行する表示方法であって、売上データを外部記憶媒体に記憶する記憶制御ステップと、前記記憶制御ステップで前記売上データが前記外部記憶媒体に記憶されたか否か判定する判定ステップと、前記売上データの印刷イメージを表示させる表示制御ステップと、を有し、前記表示制御ステップは、前記判定ステップで、前記売上データが前記外部記憶媒体に記憶されたと判定されたことを条件に、前記外部記憶媒体についての識別情報の前記印刷イメージ中への表示を開始させる、ことを特徴とする。
また、本発明に係る第１の態様のプログラムは、売上データ処理装置のコンピュータを、売上データを他の端末装置に送信する送信制御手段、前記送信制御手段によって前記売上データが前記他の端末装置に送信されたか否か判定する判定手段、前記売上データの印刷イメージを表示させる表示制御手段、として機能させ、前記表示制御手段は、前記判定手段によって、前記売上データが前記他の端末装置に送信されたと判定されたことを条件に、前記他の端末装置についての識別情報の前記印刷イメージ中への表示を開始させる、ことを特徴とする。
また、本発明に係る第２の態様のプログラムは、売上データ処理装置のコンピュータを、売上データを外部記憶媒体に記憶する記憶制御手段、前記記憶制御手段によって前記売上データが前記外部記憶媒体に記憶されたか否か判定する判定手段、前記売上データの印刷イメージを表示させる表示制御手段、として機能させ、前記表示制御手段は、前記判定手段によって、前記売上データが前記外部記憶媒体に記憶されたと判定されたことを条件に、前記外部記憶媒体についての識別情報の前記印刷イメージ中への表示を開始させる、ことを特徴とする。
【手続補正５】
【補正対象書類名】特許請求の範囲
【補正対象項目名】全文
【補正方法】変更
【補正の内容】
【特許請求の範囲】
【請求項１】
売上データを外部記憶媒体に記憶する記憶制御手段と、
前記記憶制御手段によって前記売上データが前記外部記憶媒体に記憶されたか否か判定する判定手段と、
前記売上データの印刷イメージを表示させる表示制御手段と、
を備え、
前記表示制御手段は、前記判定手段によって、前記売上データが前記外部記憶媒体に記憶されたと判定されたことを条件に、前記外部記憶媒体についての識別情報の前記印刷イメージ中への表示を開始させる、
ことを特徴とする売上データ処理装置。
【請求項２】
前記表示制御手段は、第１の表示領域に前記印刷イメージを表示させるとともに、第２の表示領域に前記外部記憶媒体の状態を示す情報を表示させる、
ことを特徴とする請求項１に記載の売上データ処理装置。
【請求項３】
売上データを他の端末装置に送信する送信制御手段と、
前記送信制御手段によって前記売上データが前記他の端末装置に送信されたか否か判定する判定手段と、
前記売上データの印刷イメージを表示させる表示制御手段と、
を備え、
前記表示制御手段は、前記判定手段によって、前記売上データが前記他の端末装置に送信されたと判定されたことを条件に、前記他の端末装置についての識別情報の前記印刷イメージ中への表示を開始させる、
ことを特徴とする売上データ処理装置。
【請求項４】
前記表示制御手段は、第１の表示領域に前記印刷イメージを表示させるとともに、第２の表示領域に前記他の端末装置の状態を示す情報を表示させる、
ことを特徴とする請求項３に記載の売上データ処理装置。
【請求項５】
ユーザ操作に応じて精算モードまたは点検モードに切り替えるモード切替手段と、
前記売上データを、前記モード切替手段により前記精算モードに切り替えられている場合には精算データとして設定する一方で、前記モード切替手段により前記点検モードに切り替えられている場合には点検データとして設定する設定手段と、
を備えたことを特徴とする請求項１から４の何れかに記載の売上データ処理装置。
【請求項６】
売上データ処理装置が実行する表示方法であって、
売上データを他の端末装置に送信する送信制御ステップと、
前記送信制御ステップで前記売上データが前記他の端末装置に送信されたか否か判定する判定ステップと、
前記売上データの印刷イメージを表示させる表示制御ステップと、
を有し、
前記表示制御ステップは、前記判定ステップで、前記売上データが前記他の端末装置に送信されたと判定されたことを条件に、前記他の端末装置についての識別情報の前記印刷イメージ中への表示を開始させる、
ことを特徴とする表示方法。
【請求項７】
売上データ処理装置が実行する表示方法であって、
売上データを外部記憶媒体に記憶する記憶制御ステップと、
前記記憶制御ステップで前記売上データが前記外部記憶媒体に記憶されたか否か判定する判定ステップと、
前記売上データの印刷イメージを表示させる表示制御ステップと、
を有し、
前記表示制御ステップは、前記判定ステップで、前記売上データが前記外部記憶媒体に記憶されたと判定されたことを条件に、前記外部記憶媒体についての識別情報の前記印刷イメージ中への表示を開始させる、
ことを特徴とする表示方法。
【請求項８】
売上データ処理装置のコンピュータを、
売上データを他の端末装置に送信する送信制御手段、
前記送信制御手段によって前記売上データが前記他の端末装置に送信されたか否か判定する判定手段、
前記売上データの印刷イメージを表示させる表示制御手段、
として機能させ、
前記表示制御手段は、前記判定手段によって、前記売上データが前記他の端末装置に送信されたと判定されたことを条件に、前記他の端末装置についての識別情報の前記印刷イメージ中への表示を開始させる、
ことを特徴とするプログラム。
【請求項９】
売上データ処理装置のコンピュータを、
売上データを外部記憶媒体に記憶する記憶制御手段、
前記記憶制御手段によって前記売上データが前記外部記憶媒体に記憶されたか否か判定する判定手段、
前記売上データの印刷イメージを表示させる表示制御手段、
として機能させ、
前記表示制御手段は、前記判定手段によって、前記売上データが前記外部記憶媒体に記憶されたと判定されたことを条件に、前記外部記憶媒体についての識別情報の前記印刷イメージ中への表示を開始させる、
ことを特徴とするプログラム。